(57)【要約】      （修正有）【課題】  口腔内バクテリアやウィルスの殺菌浄化。【解決手段】歯、人口歯の表面の基材に各種処理した酸化チタンを、歯ブラシ紫外線照射による低照度かつ長時間殺菌・抗菌効果を持続してバクテリアやウィルスの浄化による歯の衛生効果をもたらす方式の構成。【選択図】  図１
2005081126.tif 000002
【特許請求の範囲】
【請求項１】
酸化チタン等の光触媒を固定する天然歯・人口歯の基材に、紫外線照度を発光する紫外線ランプを内蔵する抗菌ブラシの相互作用で抗菌効果を行う構成。
【請求項２】
請求項１において、酸化チタン表面に銅又は銀等の抗菌性金属を固定化し、低照度の紫外線で抗菌効果の発揮する抗菌ブラシとの組合せ構成。
【請求項３】
超小型ＬＥＤ等の紫外線発光体をブラシ部分に併合してなるブラシ。
【請求項４】
請求項１及び２の天然歯・人口歯の表面に固定した酸化チタンにシリカを添加した光触媒と請求項３のブラシの組合せ抗菌構成。
【請求項５】
請求項１〜４項においてフッ素化合物の粒子に酸化チタン粒子を混合した歯への塗布材。
【発明の詳細な説明】
【発明の詳細な説明】
【技術分野】
【０００１】この発明は酸化チタン光触媒による口腔内浄化作用を歯の表面処理及びブラシの紫外線発光の相互作用により行い、口腔内に存在する多数のバクテリアやウィルスを分解・死滅させ歯の健全な保持とひいては健康を保持する医療保健分野に属するものである。【０００２】従来の技術は各種はみがき剤による薬効で、たとえば硝酸カリウムによるイオンの保護膜を形成し、歯のしみや痛みを防ぐ方法、フッ素による歯質強化で虫歯の発生進行を予防、トリクロサンによる殺菌効果で歯肉炎による歯茎のはれ、出血の予防等の薬用作用と各種ブラシ（電動式・音波式）が用いられているが、現状多数の人々が歯を失う現状からみて上記対応では健康保持上からも明らかに不十分な状況である。
【発明が解決しようとする課題】
【０００３】光触媒の研究開発の発端になった応用分野は抗生物質に耐性をもった黄色のブドウ状球菌による院内感染を防止することができないかということから明らかなるように、抗生物質も効かないようなバクデリアを死滅・除去させ、かつ安全で無害な抗菌技術としては酸化チタン光触媒以外に候補がなかった。
【０００４】多くの病院の手術室で酸化チタン光触媒が試され，その効果が実証されたことから、健康医療技術が現在の酸化チタン光触媒の応用へと展開した。
【０００５】そこで、口腔内に無数に存在するバクテリアやウィルスを分解死滅させ、ムシ歯や各種病害要因を除去し、歯の健康から人々の健康・長寿へと導くことを目的とすることが効果的である。
【課題を解決するための手段】
【０００６】具体的方法としては天然歯・人口歯の酸化チタンを主体とした表面処理と抗菌作用を活性化する紫外線発光ブラシの相互作用により行う。
【０００７】まず歯の方としては人口歯の場合光触媒を長期持続するための固定化するには無機質の金属・セメント・セラミックガラス等の基材に酸化チタンを直接コーティングし、焼付する方法または酸化チタンを混合成形する方法があるが、これらは一般工業的に通常行われる方式である。
【０００８】無機質へのコーティングは塗布した後焼付が可能で、原料としては酸化チタンゾルやアルコキシドが使われる。この焼付の場合、８００℃以上に熱せられて酸化チタン粒子同士が接着する焼結現象を生じ、硬い緻密な膜となる。基盤がガラス材料の場合ガラスと酸化チタン層の間にシリカ（ＳｉＯ２）層を入れ、劣化を防ぎ強化される。
【０００９】天然歯の場合は接着層に有機・無機のハイブリットポリマー（有機物と無機物が粒子レベルで混合した化合物）を用いる。
【００１０】上記、酸化チタンを塗布した歯に対して、光触媒作用を活性化するためには紫外線を歯の表面に照射する必要があり、しかも他の部分には極力紫外線照射が行われないことが重要とされる。
【００１１】ブラシと発光体との構成的は第１図の側面図、第２図の平面図により以下説明する。
ブラシ構成は軸１に通常のブラシ２分部が装着され、ＬＥＤの如き超小型紫外線ランプ８による紫外線発光ランプ４を内蔵し、必要光量により１箇所または複数個の透光性窓５を設け、光は反射板３により分割照射される。軸内には発光電源として乾電池６または蓄電池を設ける。紫外線発光ランプ４と電池６間は配線７により結合する。
【００１２】この歯ブラシには通常、一般的な歯みがき剤を塗布し、通常の歯みがきを行う。
【００１３】一般的にフッ素化合物の粒子が細かくなると歯の表面にフッ素がより付きやすくなる。フッ素（ナノメートルの単位の粒子）に酸化チタン粒子を混合することにより、紫外線歯ブラシの相互作用により、虫歯のもと細菌を断つことも可能となる。当然酸化チタンとの複合材料原子との結合により歯の表面に付着、塗布により効果を発揮する。
【作用効果】
【００１４】第１図、第２図に示す紫外線発光ブラシによる光触媒作用を効果的に行うために、通常１日２〜３回行う。本発明の歯ブラシはＬＥＤ発光体の発行量で１μｗ／ｃｍ２の紫外線発行量は通常２０〜４０Ｗの蛍光灯から発する紫外線量とほぼ同じで、短時間（１日１０分程度）照射されても人体に悪影響は出ない微小照度である。
【００１５】この微小な光量であっても、酸化チタン光触媒の場合２５４ｎｍ（ナノメートル）という波長のため、人体に有害となる紫外線は必要とせず、比較的長波長の紫外線光で光触媒反応が進行する特徴がある。
【００１６】更に歯みがき時間が比較的短時間に限定されるので、酸化チタンにシリカを添加することにより、長時間光触媒作用が続くことが可能である。
何故なら、シリカはその表面に水分子を大変強く吸着することが知られている。酸化チタンの光励起反応でシリカ表面がクリーニングされ、水分子が強く吸着されることで、暗い口腔内においても親水性が維持されるからである。
【００１７】この光触媒による抗菌作用とほかの通常の抗菌剤による作用との大きな違いは通常の抗菌剤の場合、細菌を殺すことができても死骸が残る。それに対し、光触媒は細菌を殺すと共にその死骸を分解除去してしまうことにより抗菌性を維持することが大きな特徴といえる。
【発明の効果】
【００１８】以上で説明したこの発明による効果は次の通りである。
光触媒による殺菌効果として、口腔内の衛生環境を良好に維持する効果をもたらす。
【００１９】通常歯垢（プラーク）の残存は局所的な歯周病を発生する。また歯垢はその８０％以上が細菌などの微生物であり、その細菌が産出した酵素は歯周組織に炎症、つまり歯周炎を発生させる。
歯垢が石灰化した歯石も多量の毒素を含んでいるので、歯石の沈着などで炎症がさらに悪化し、歯周ポケットができ歯槽骨が吸収し歯周病へと進行する。
【００２０】従って、歯表面の酸化チタンベースに紫外線ブラシによる殺菌作用はこれら細菌の発生・育成を根本的に阻止するので、きわめて良好な歯の状況を保つことができる。
【００２１】このような歯の健康はひいては身体全体への健康をもたらす基本要素であることが最も大切な本発明の効果といえる。
【００２２】具体的には▲１▼脳細胞の活性化、すなわちよく噛むと脳の血液循環がよくなり、活動も活発になる。さらに▲２▼唾液分泌促による消化促進、健康維持効果、▲３▼肥満防止、よく咀嚼すると満腹中枢を刺激して肥満防止する▲４▼顎の退縮の防止等の効果がある。更に上記の結果心理的効果も大きい。
【図面の簡単な説明】
【図１】実施の形態の抗菌ブラシの側面図
【図２】実施の形態の抗菌ブラシの平面図
【符号での説明】
１．抗菌ブラシ軸  ２．ブラシ  ３．反射板
４．紫外線発光ランプ  ５．透光窓  ６．電池  ７．接続配線
【図１】
2005081126.tif 000003
【図２】
2005081126.tif 000004